(57)【要約】      （修正有）【課題】グリル皿に設けられた既設焼き網に必要時に積み重ねることによって網目を形成して、小物の落下を防止し、しかも網ズレがなく、構造も簡単なグリル用アタッチメント網を提供する。【解決手段】載せ面１１を平行な複数本の線材１１ａで構成した網のその線材長さ方向の一端または両端にストッパー部２１を下向きに設け、グリル２の既設焼き網３２の線材３２ａにその線材１１ａが交差するように重ねて、前記ストッパー部２１を既設焼き網３２の目５２内に抜差し可能に挿入して、必要時にグリル皿２２上に網目を形成して、ウインナーや小魚等の小物を下に落下させることなく焼き上げる。既設焼き網３２とは別に洗うことができ、既設焼き網３２と一体化して網ズレが無い。【選択図】図１
0003102449.tif 000002
【実用新案登録請求の範囲】
【請求項１】
グリル皿に設けられた既設焼き網に重ねて使用されるアタッチメント網であって、所定間隔を空けた複数本の線材で載せ面を構成した網のその線材長さ方向の一端または両端にストッパー部を下向きに設けてなり、前記既設焼き網の線材にその線材が交差するように重ねて、前記ストッパー部を既設焼き網の目内に抜差し可能に挿入することを特徴とするグリル用アタッチメント網。
【請求項２】
前記ストッパー部が、線材の端部を下向きに折曲して形成してあることを特徴とする請求項１記載のグリル用アタッチメント網。
【考案の詳細な説明】
【技術分野】
【０００１】
本考案はグリル用アタッチメント網、更に詳しくはグリル内の既設焼き網と併用して、使用勝手を向上させるグリル用アタッチメント網焼に関するものである。
【背景技術】
【０００２】
グリル用焼き網には、魚を焼くのを主流にしているため、外枠間に線材を複数本横方向に平行に連結して形成されている（例えば、特許文献１参照）。
そして、魚を縦向きにして焼き上げるために、その線材はグリル庫への出し入れ口と平行関係である。
【０００３】
しかしながら、焼き網の目が粗いため、ウインナーや小魚等の小物を焼き対象物とする場合、下に落下することがある。
これを防止するために外枠間に線材を格子状に編んで形成された焼き網を使用することも提案されるが、斯様な焼き網の場合、編まれた格子部に焼きカス等がこびり付き、その除去が大変でありばかりでなく、重労働の割りにその除去も不完全である。
また、焼き対象物の大きさに関わらず、一様な網目跡が線材を介して付くため、前記のような小物の場合には、網目跡が必要以上に多くなり、見た目で美味しさを損う原因になってしまう。
【特許文献１】特開２００２−１７５７７号公報
【考案の開示】
【考案が解決しようとする課題】
【０００４】
本考案は上記従来事情に鑑みてなされたもので、その目的とする処はグリル皿に設けられた既設焼き網に必要時に積み重ねることによって網目を形成して、小物の落下を防止し、しかも網ズレがなく、構造も簡単なグリル用アタッチメント網を提供することにある。
【課題を解決するための手段】
【０００５】
前記課題を達成するために講じた技術的手段は、グリル皿に設けられた既設焼き網に重ねて使用されるアタッチメント網であって、所定間隔を空けた複数本の線材で載せ面を構成した網のその線材長さ方向の一端または両端にストッパー部を下向きに設けてなり、前記既設焼き網の線材にその線材が交差するように重ねて、前記ストッパー部を既設焼き網の目内に抜差し可能に挿入することを特徴とするグリル用アタッチメント網である（請求項１）。
ここで、所定間隔を空けた複数本の線材で載せ面を構成するとは、平行に設けられた複数本の線材で載せ面を構成したり（強度に支障のない時）、強度に支障がある場合にその線材に対して中央等所望箇所に１〜数本の線材を交差状に設けて載せ面とすることの双方を指している。
【０００６】
グリルの既設焼き網は、外枠間に、グリル庫への出し入れ口に対して複数本の線材を平行に編んだ構成になっている。そのため、既設焼き網の線材に対して交差して重ねられるアタッチメント網の両端または一端に形成されているストッパー部を、既設焼き網の目内に挿入すると、グリル皿上に網目を形成すると同時に、既設焼き網の目でストッパー部のその動きが制限されてアタッチメント網は移動不能に固定される。
そして、小魚やウインナー等の小物を焼き上げる時に重ねて使用しても、焼き具合の確認行為や取出し行為で既設焼き網を引き出す際、アタッチメント網が既設焼き網と一体的に移動する。
【０００７】
また、ストッパー部が、線材の端部を下向きに折曲して形成してあると、更に好適なものである（請求項２）。
尚、ストッパー部は、グリル皿の底に到達しない長さにしてある。
【考案の効果】
【０００８】
本考案は以上のように構成したから下記の利点がある。
（請求項１）所定間隔を空けた複数本の線材で載せ面を構成した網のその線材長さ方向の一端または両端にストッパー部を下向きに設け、グリルの既設焼き網の線材にその線材が交差するように重ねて、前記ストッパー部を既設焼き網の目内に抜差し可能に挿入するグリル用アタッチメント網である。
そのため、必要時に既設焼き網に重ねるだけでグリル皿上に網目を形成して、ウインナーや小魚等の小物を下に落下させることなく焼き上げる便利なアタッチメント網を提供することができる。
しかも、引き抜けば、既設焼き網がそのままの形で現れ、小物以外の焼き対象物を今まで通り焼くことができるし、既設焼き網に特別な手段、機構等を付設する必要が全くない。
その上、既設焼き網から分離するので、その既設焼き網とは別に洗うことができ、従来の格子状の焼き網に対して焼きカス等の洗い落としが非常に簡単且つ確実である。
また、単に載せるだけで網目を形成した上、既設焼き網に対して移動不能（網ズレしないように）に一体化するので、焼き対象物の取り出し時や焼き具合を見る時に引き出しても、網ズレを起こすことがないし、取り外しも簡単で、取扱い性にも優れている。
更に、このアタッチメント網は、既設焼き網の載せ面にその載せ面を上下に重ねた使用形態になるので、既設焼き網上方のグリル庫空間を占有せず、グリル本来の使用勝手を損うこともない。
【０００９】
（請求項２）ストッパー部が、線材の端部を下向きに折曲して形成してあると、網ズレを防止するに際して、例えば係合具等を設けたり、既設焼き網の載せ面とで相互に係合または嵌合する凹凸部を形成して対処した場合と比べて網自体の構造が複雑にならず、廉価に提供することができる。
【考案を実施するための最良の形態】
【００１０】
次に本考案のグリル用アタッチメント網の実施の形態を図面に基づいて説明する。
【実施例１】
【００１１】
図１〜図３において、符号１はアタッチメント網、２はグリルである。
アタッチメント網１は、図１に示すように、複数本の平行な線材１１ａからなる載せ面１１と、ストッパー部２１とを備えた構成になっている。
【００１２】
一方、グリル２は、図１に示すようにガスコンロ等の燃焼器具Ａに確保したグリル庫１２にグリル皿２２を引き出し可能に収容し、該グリル皿２２に既設焼き網３２を係脱可能に備えた周知の構成になっており、その既設焼き網３２は、グリル庫１２への出し入れ口１２ａに対して平行な複数本の線材３２ａからなる載せ面４２の周囲を外枠３２ｂで囲繞すると共に長手側両端部に支持脚３２ｃを垂設した平面視縦長矩形状を呈している。
この実施の形態では、既設焼き網３２として、図１に示すように左右側の端部所要範囲を上向きに緩く傾斜させることによって、それ以外の部分を一段低くグリル皿２２側に落とし込んだタイプを示している。
【００１３】
前記アタッチメント網１は、図示するように前記既設焼き網３２よりも一回り小形なもので、同既設焼き網３２の線材３２ａに対して上方から交差する方向を向く複数本の線材１１ａからなる載せ面１１の両端を連結外枠１１ｂで連結して、その載せ面１１を平面視縦長矩形状に形成し、その載せ面１１において連結外枠１１ｂ寄りの両端部、即ち線材１１の長さ方向の両端部を下向きに折曲してストッパー部２１を形成している。
【００１４】
前記ストッパー部２１は、図１、図３に示すようにその載せ面１１を既設焼き網３２の載せ面４２に網目３を形成するように重ねた時、グリル皿２２の底に到達しない折曲長さにしてあり、そして同重ね時に既設焼き網３２の手前側と奥側の目５２に各々移動不能に挿入されるようになっている。
【００１５】
前記グリル２は、ガスコンロ等の燃焼用器具Ａ内に装設される関係でその奥行き寸法については燃焼器具の機種による大差はないが巾寸法については各種存在する。
そのため、アタッチメント網１は、奥行き寸法（縦寸法）を共通とする巾寸法が異なる複数種を製作用意して、バリエイションを持たせてある。
【００１６】
以上のように構成されたこの実施の形態のアタッチメント網１は、図２に示すように小魚、ウインナー等の小物を焼く時に既設焼き網３２に網目３を形成するように載せ面１１を重ねると同時に図３に示すように既設焼き網３２の手前側、奥側の目５２、５２にストッパー部２１を移動不能に挿入して、使用に供される。
そして、このアタッチメント網１が不要な普通の大きさの魚等を焼く時には、上方に引き抜いて既設焼き網３２を使用すれば良く、取扱いも造作ないし、焼きカス等の洗い落としも簡単に行なえる。
また、網ズレを防止するストッパー部２１が両端部を折曲した単純な構造であるため、例えば係止具を使用したり、既設焼き網の載せ面とアタッチメント網の載せ面相互に互いに係合または嵌合する凹凸部を設けて対処した場合のように、複雑構成にならず、製作コストも廉価である。
【００１７】
尚、本発明アタッチメント網１の載せ面１１を構成する線材１１ａは、既設焼き網３２の線材３２ａに対して必ずしも直交状に交差するものに限定されるものではなく、斜めに交差するものでも良いものである。
【図面の簡単な説明】
【００１８】
【図１】本発明アタッチメント網をセットする前の状態を示す分解斜視図。
【図２】同アタッチメント網のセット状態を示す平面図で概略的に示す。
【図３】図２の（3）-（3）線拡大断面図で、概略的に示す。
【符号の説明】
【００１９】
１：アタッチメント網                ３２：既設焼き網
２２：グリル皿                        ２１：ストッパー部
１１：載せ面（既設焼き網の載せ面）    ４２：載せ面（アタッチメント網の載せ面）
１１ａ：線材（既設焼き網の線材）      ３２ａ：線材（アタッチメント網の線材）
２：グリル                        １２ａ：出し入れ口（グリルの出し入れ口）
１２：グリル庫
【図１】
0003102449.tif 000003
【図２】
0003102449.tif 000004
【図３】
0003102449.tif 000005